【事件の表示】
　特願２０１４−２０１０９４「改善されたコンテンツ配送システムのためのアクセスポイント」拒絶査定不服審判事件〔平成２７年　３月　５日出願公開、特開２０１５−　４３５９０〕について、次のとおり審決する。
【結　論】
　本件審判の請求は、成り立たない。
【理　由】
第１　手続の経緯
　本願は、２００９年（平成２１年）８月２１日（パリ条約による優先権主張　外国庁受理　２００８年９月２日　米国）を国際出願日とする特願２０１１−５２６１０５号の一部を、平成２５年１月１１日に新たな特許出願とした特願２０１３−３８３３号の一部を、平成２６年９月３０日に更に新たな特許出願としたものであり、その手続の経緯は、概略、以下のとおりである。
平成２７年１０月２日付け：　拒絶理由通知書
平成２８年２月４日：　　　　意見書、手続補正書の提出
平成２８年２月１９日付け：　拒絶理由（最後の拒絶理由）通知書
平成２８年５月２５日：　　　意見書、手続補正書の提出
平成２８年８月８日付け：　　平成２８年５月２５日の手続補正についての　　　　　　　　　　　　　　補正の却下の決定、拒絶査定
平成２８年１２月９日：　　　拒絶査定不服審判の請求
平成２９年１２月１２日付け：拒絶理由通知書（当審）
平成３０年４月１６日：　　　意見書、手続補正書の提出
第２　本願発明
　本願の請求項に係る発明は、平成３０年４月１６日に提出された手続補正書による補正（以下「本件補正」という。）によって補正された特許請求の範囲の請求項１〜１３に記載された事項によって特定されるものであるところ、その請求項１１に係る発明（以下、「本願発明」という。）は、以下のとおりのものと認める。
「(b1)キオスクのカバレッジエリアにおける複数のポータブルデバイスのポピュレーションにメディアコンテンツをワイヤレスに配信するための装置であって、
　(b2)前記複数のポータブルデバイスのうちの１つからの特定のメディアコンテンツについての要求の受信前に、前記複数のポータブルデバイスのポピュレーションに、前記キオスクによって、メディアコンテンツをワイヤレスに配信するための手段と、
　(b3)複数のポータブルデバイスの前記ポピュレーションと関連するクライアントを特徴づけるための手段と、前記特徴づけることは、複数のポータブルデバイスの前記ポピュレーションに前記メディアコンテンツを前記配信することと関連するトランザクションに少なくとも部分的に基づく、
　(b4)複数のポータブルデバイスの前記ポピュレーションと関連する前記クライアントの前記特徴づけに少なくとも部分的に基づいて、ネットワークコントローラから送信される予期される将来のクライアントのためのメディアコンテンツを、受信されたメディアコンテンツとして、受信するための手段と、
　(b5)ローカル記録装置に前記受信されたメディアコンテンツを記憶するための手段と、
　(b6)前記ポータブルデバイスからの特定のメディアコンテンツについての要求を受信するための手段と、
　(b7)ワイヤレスデータプロトコル・カバレッジエリア内の要求する加入者ポータブルデバイスからの要求であるとしてポータブルデバイスからの特定のメディアコンテンツについての前記要求を認証するための手段と、
　(b8)前記要求する加入者ポータブルデバイスに前記要求されたメディアコンテンツをワイヤレスに送信するための手段と、および
　(b9)追跡および請求の目的のために前記ネットワークコントローラへ前記ワイヤレス送信を報告するための手段と
　を具備する装置。」
　また、本件補正前の請求項４、７、８、９、１２、１４、１７、１８は、本件補正により削除されたため、本願発明は、本件補正前の請求項１９に対応する。
第３　拒絶の理由
　平成２９年１２月１２日付けの当審が通知した拒絶理由（以下、「当審拒絶理由」という。）のうちの理由１の概要は、次のとおりのものである。
「１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」であるところ、本願発明に対応する本件補正前の請求項１９に対して下記引用文献１が引用されている。
１．特開２００３−１８６７８５号公報 
第４　引用例の記載及び引用発明
　１　引用例１の記載
　当審拒絶理由で引用した特開２００３−１８６７８５号公報（以下、「引用例１」という。）には、以下の事項が記載されている。（下線は、当審で付した。）
（１）　「【０００１】
【発明の属する技術分野】
本発明は、コンテンツ情報をユーザ端末に効率的に配信するためのローカルサーバ
に関するものである。
【０００２】
【従来の技術】
音楽コンテンツ等のコンテンツ情報をユーザ端末に配信する場合、
【０００３】かかる場合、メインサーバに蓄積されたコンテンツ情報は、所定のタイミングでローカルサーバにダウンロードされる。これにより、ダウンロード間隔に応じたタイムラグはあるものの、ローカルサーバには、通常、メインサーバと略同一種類のコンテンツが蓄積されるようになる。したがって、ユーザは、かかるローカルサーバにアクセスすることにより、所望のコンテンツを迅速に取得することができる。
【０００４】
【発明が解決しようとする課題】しかしながら、近年のインターネットおよびユーザ端末（携帯電話、等）の普及により、ローカルサーバがあらゆる箇所に設置されるようになると、上記のように全てのローカルサーバに一時に最新コンテンツをダウンロードしていたのでは、ダウンロード時におけるメインサーバの負荷が極めて大きくなってしまう。また、ローカルサーバ側においても、ユーザからのアクセスが頻繁になされているときに、メインサーバからのダウンロードがなされると、トラフィック制御が煩雑となり好ましくない。
【０００５】さらに、ユーザが要求するコンテンツの種類や内容は地域によって格差があり、このため、メインサーバ内の全てのコンテンツを画一的にローカルサーバにダウンロードする方法は、ローカルサーバ内に無駄なコンテンツ情報の蓄積を促す結果となり、システム全体の処理として極めて非効率なものとなる。
【０００６】そこで、本発明は、メインサーバからローカルサーバへコンテンツ情報をダウンロードする際の処理の効率化と、ローカルサーバからユーザ端末へコンテンツ情報を配信する際の処理の円滑化および迅速化を同時に達成することができる、ローカルサーバ、情報配信システムおよびユーザ端末装置を提供することを課題とする。」
（２）　「【００２３】
【発明の実施の形態】以下、本発明の実施の形態につき図面を参照して説明する。まず、図１に実施の形態に係るコンテンツ配信ネットワークシステムの構成を示す。
【００２４】図において、１００は、コンテンツ情報を蓄積しこれを適宜ローカルサーバにダウンロードするサーバコンピュータ（メインサーバ）、
２００は、ユーザ端末３００からの配信要求に応じてコンテンツ情報をユーザ端末３００に転送するサーバコンピュータ（ローカルサーバ）
３００は、ローカルサーバ２００にアクセスしてコンテンツ情報を取得する情報端末装置（ユーザ端末）である。
【００２５】ここで、メインサーバ１００とローカルサーバ２００は、インターネットまたは公衆回線網を介して接続されている。また、
ユーザ端末３００は、近距離無線ネットワークを介してローカルサーバ２００にアクセス可能である。かかるユーザ端末３００として、たとえば携帯電話、ＰＤＡ（Ｐｅｒｓｏｎａｌ−Ｄｉｇｉｔａｌ−Ａｓｓｉｓｔａｎｔｓ）等が利用される。
（中略）
【００２８】図５にコンテンツ情報の内容を示す。図示の如く、
一つのコンテンツ情報は、コンテンツＩＤ、課金情報、楽曲情報、アーティスト情報およびオーディオ情報から構成されている。この内、課金情報は、当該音楽コンテンツの配信を受ける場合の課金に関する情報である。
」
（３）　図１
（４）　「【００３１】図３に、ローカルサーバ２００の構成を示す。図において、２０１は各部を制御する制御部（ＣＰＵ）、２０２は情報を一次格納するためのメモリ（ワークＲＡＭ）、２０３は情報を入力するための入力部（キーボード、マウス等）、２０４はネットワークとの間の情報入出力を制御する通信制御部である。
【００３２】２０５は、コンテンツ情報記憶部２０６に記憶されたコンテンツ情報と、ローカルコンテンツリスト記憶部２０７または最新コンテンツリスト記憶部２０８の何れかに記憶されたコンテンツリスト情報を、ユーザ端末３００に対し配信する配信制御部である。
ここで、ローカルコンテンツリスト記憶部２０７と最新コンテンツリスト記憶部２０８の内、何れに記憶されたコンテンツリスト情報を配信するかは、後述の図７〜図１１に示す各制御フローチャートに従う。
（中略）
【００４０】次に、上記コンテンツ配信ネットワークシステムにおける配信制御方法について、図７を参照して説明する。かかる配信制御方法は、ユーザ端末３００に対するコンテンツリスト情報の配信が、単一のローカルサーバのみからなされる場合の制御方法に関するものである。
【００４１】ユーザ端末３００からローカルサーバ２００にアクセス要求がなされると（Ｓ１０１）、ローカルサーバ２００において、かかるアクセス要求がリスト表示選択に関するものか、検索選択に関するものかが判別される（Ｓ１０２）。ここで、リスト表示選択であれば、ローカルサーバ２００は、最新コンテンツリスト記憶部２０８に記憶されたコンテンツリスト情報を読み出し、これをユーザ端末３００に転送する。ユーザ端末３００は、転送されたコンテンツリスト情報に基づいて、リスト表示画面を作成（リスト作成部３０４）し、これを表示部３０６に表示する（Ｓ１０３）。
【００４２】このようにして表示されたコンテンツリストの内、
ユーザが所定のコンテンツを選択すると、かかる選択情報がユーザ端末３００からローカルサーバ２００に送信される。ローカルサーバ２００は、選択されたコンテンツがローカルコンテンツリスト記憶部２０７中に存在するかを判別し（Ｓ１０４）、存在する場合には、コンテンツ情報記憶部２０６から当該コンテンツ情報を読み出して、これをユーザ端末３００に転送する（Ｓ１０７）。
【００４３】一方、選択されたコンテンツがローカルコンテンツリスト記憶部２０７中に存在しない場合には、メインサーバ１００に対し当該コンテンツのダウンロード要求を発する（最新コンテンツ要求部２０９）。かかるダウンロード要求に応じて、メインサーバ１００は、当該コンテンツ情報をコンテンツ情報記憶部１０６から読み出し、これをローカルサーバ２００に転送する。かかる転送を受けて、ローカルサーバ２００は当該コンテンツ情報をコンテンツ情報記憶部２０６に記憶する（Ｓ１０５）。また、当該コンテンツ情報中のヘッダ部分（コンテンツリスト情報）を抜き出して、これをローカルコンテンツリスト記憶部２０７に追記する（Ｓ１０６）。しかる後、当該コンテンツ情報をユーザ端末３００に転送する（Ｓ１０７）。
【００４４】また、上記ユーザ端末３００からのアクセス要求が検索選択である場合（Ｓ１０２）には、ローカルサーバ２００からユーザ端末３００にレスポンスが返され、ユーザ端末３００の表示部３０６上に検索画面が表示される。かかる検索画面に従いユーザによって検索条件が入力されると（Ｓ１０８）、かかる検索条件がローカルサーバ２００に転送される。ローカルサーバ２００は、かかる検索条件に基づいて配信すべきコンテンツがローカルコンテンツリスト記憶部２０７中に存在するかを判別する（Ｓ１０９）。ここで存在すると判別すると、当該コンテンツをコンテンツ情報記憶部１０６から読み出し、これをユーザ端末３００に転送する（Ｓ１０７）。
【００４５】一方、配信すべきコンテンツがローカルコンテンツリスト記憶部２０７中に存在しないと判別すると（Ｓ１０９）、次に、当該コンテンツが最新コンテンツリスト記憶部２０８中に存在するかを判別する（Ｓ１１０）。ここで存在すると判別すると、上記と同様、メインサーバ１００に対し当該コンテンツのダウンロード要求を発し（最新コンテンツ要求部２０９）、メインサーバ１００から当該コンテンツ情報の転送を受けて、当該コンテンツ情報をコンテンツ情報記憶部２０６に記憶し（Ｓ１０５）、また、当該コンテンツ情報からコンテンツリスト情報を抜き出して、これをローカルコンテンツリスト記憶部２０７に追記する（Ｓ１０６）。しかる後、当該コンテンツ情報をユーザ端末３００に転送する（Ｓ１０７）。
【００４６】以上の配信制御方法によれば、ローカルサーバ２００には、ユーザからの配信要求に応じてコンテンツ情報が逐次蓄積されるので、メインサーバ１００から全コンテンツ情報を画一的にダウンロードする場合に比べ、メインサーバ１００の負荷は極めて小さくなる。また、ローカルサーバ２００には、ユーザのニーズに応じたコンテンツ情報のみが次第に蓄積増加されるようになるので、その地域のユーザのニーズに従った種類と量のコンテンツが蓄積されるようになる。よって、メインサーバの負荷低減とシステム全体の利用効率の向上を飛躍的に改善することができるようになる。」
（５）　図７　
（６）　「【００５４】次に、上記コンテンツ配信ネットワークシステムにおけるさらに他の配信制御方法について、図９を参照して説明する。なお、かかる配信制御方法は、ユーザ端末３００に対するコンテンツリスト情報の配信が、複数のローカルサーバからなされる場合の制御方法に関するものである。すなわち、
ユーザ端末が複数のローカルサーバ２００にアクセス可能であり、
（７）　「【００６９】しかしながら、本来、ユーザからの配信要求に対し迅速に応答するためには、配信要求がなされる可能性の高いコンテンツは、予め、ローカルサーバに蓄積しておいた方が好ましい。したがって、たとえば新たにリリースされた曲、映画等の最新コンテンツは、ユーザからの配信要求に応じてメインサーバからダウンロードするのではなく、ユーザからの配信要求がある前に、予め、ローカルサーバ２００に蓄積しておく方が好ましい。ただし、かかる最新コンテンツを同一タイミングで全てのローカルサーバにダウンロードすると、メインサーバの負荷が大きくなる。また、ユーザからのアクセスが頻繁に行われているときに、メインサーバからのダウンロードがなされると、ローカルサーバの通信トラフィックが混乱し、メインサーバにおける通信制御が煩雑となる。
【００７０】そこで、以下の実施の形態は、ローカルサーバから主導的にメインサーバに対し所定のタイミングでコンテンツのダウンロード要求を発し、これにより、通信トラフィックの混乱およびメインサーバの過負荷を回避しながら、メインサーバに新たに追加された最新コンテンツをローカルサーバに予めダウンロードしておき、これにより、ユーザからの配信要求に対し迅速に応答しようとするものである。
【００７１】図１０に、かかる実施の形態におけるローカルサーバ２００のブロック図を示す。本ブロック図は、図３に比べ、アクセス履歴記憶部２１０が追加されている点が構成上相違している。その他の構成は、図３と同様であるので、説明を省略する。
【００７２】
アクセス履歴記憶部２１０は、当該ローカルサーバ２００に対するユーザ端末３００からのアクセス履歴を記憶するものである。
【００７３】ローカルサーバ２００の
最新コンテンツ要求制御部２０９は、かかるアクセス履歴記憶部２１０に記憶されたアクセス履歴を参照し、
コンテンツのダウンロード要求をメインサーバ１００に発する。
【００７４】メインサーバ１００は、かかるダウンロード要求を受けて、当該ローカルサーバ２００から前回ダウンロード要求があったタイミングから現時点までに新たにコンテンツ記憶部１０６に蓄積されたコンテンツ（以下、「追加コンテンツ」という）を読み出す。そして、かかる追加コンテンツのコンテンツリストをコンテンツリスト記憶部１０７から読み出し、これを追加コンテンツと共に当該ローカルサーバ２００に転送する。
【００７５】なお、メインサーバ１００のローカルサーバ管理データベース１０８には、各ローカルサーバ２００からの最新のダウンロード要求日時が記憶されている。メインサーバ１００は、当該ローカルサーバ２００における最新のダウンロード要求日時と、コンテンツ情報記憶部１０６に記憶されたコンテンツの蓄積日時とを対比し、当該最新のダウンロード要求日時以降に蓄積されたコンテンツを、コンテンツ記憶部１０６から読み出し、これを当該ローカルサーバ２００に転送する。
【００７６】ローカルサーバ２００は、
メインサーバ１００からの転送を受けて、かかる追加コンテンツをコンテンツ情報記憶部２０６に記憶し、また、そのコンテンツリストをローカルコンテンツリスト記憶部２０７に記憶する。
【００７７】本実施の形態によれば、追加コンテンツがローカルサーバに適宜蓄積されていくので、ユーザからの配信要求に応じて最新コンテンツを迅速に提供することができる。したがって、図１〜図９を参照して説明した上記実施の形態と相俟って、最新コンテンツ（最新のリリース曲や映画等）の蓄積と、ユーザから個別に配信要求があった従前のコンテンツの蓄積とを適宜行うことができ、よって、最新コンテンツの迅速な提供と、地域毎のコンテンツ要求の特殊性とを同時に満たすコンテンツ配信ネットワークシステムを実現することができる。
【００７８】そして、ローカルサーバ２００からの追加コンテンツのダウンロード要求は、ユーザからのアクセス頻度の低いタイミングで行われるので、ダウンロード時におけるローカルサーバの通信トラフィックの混乱を抑制でき、また、かかるダウンロード要求のタイミングは、通常、ローカルサーバ毎に時間的なズレが生じるので、メインサーバからローカルサーバへのダウンロードは離散的となり、よって、ダウンロード時におけるメインサーバへの過度の負担を抑制することもできる。
【００７９】なお、追加コンテンツのダウンロード要求が複数のローカルサーバ間で競合した場合には、何れかのローカルサーバのダウンロード要求のみを受付け、他のローカルサーバには、アクセス頻度の低い次のタイミングにてダウンロード要求を発生させるようにする。
【００８０】また、追加コンテンツは、上記の如く、前回のダウンロード要求から現時点までにメインサーバに追加された全てのコンテンツを対象とする他、たとえば、ジャンル（ポップス、ニューミュージックなど）や区分（最新リリース、ナツメロなど）を設け、所定のジャンル、区分のみを対象として、追加コンテンツを選定するようにしても良い。
【００８１】なお、当該実施の形態では、追加コンテンツのダウンロード要求をローカルサーバ側から発するようにしたが、これに代えて、メインサーバ１００側が、ユーザからローカルサーバ２００へのアクセス頻度の粗密を予測し、当該アクセス頻度の低いタイミングで追加コンテンツをローカルサーバ２００に転送するようにすることもできる。すなわち、先の実施の形態におけるメインサーバからローカルサーバへのコンテンツリストのダウンロードと同様、ローカルサーバ管理データベース１０８に蓄積されたローカルサーバ毎のダウンロード要求履歴を参照し、かかるダウンロード要求の少ないタイミングをユーザからのアクセス頻度が低いタイミングと予測して、当該タイミングにて追加コンテンツを当該ローカルサーバに転送することもできる。ただし、ローカルサーバからメインサーバへのダウンロード要求件数は、通常、ユーザ端末からローカルサーバへのアクセス件数よりも圧倒的に小さいので、当該ダウンロード要求をもって、当該ローカルサーバに対するユーザからのアクセス頻度を統計的に予測するのは困難である。したがって、ローカルサーバへのアクセス頻度を統計的に割り出すには、上記の如く、ローカルサーバへのアクセス件数履歴に基づくようにした方が、数段、精度の高いものとなる。」
　２　引用発明
（１）　上記１（１）段落０００１〜０００２の記載、上記１（２）段落００２４〜００２５、及び段落００２８の記載、及び上記１（３）図１から、引用例１には、「近距離無線ネットワーク（配信可能エリア）における複数の携帯電話、ＰＤＡ等のユーザ端末３００に、当該音楽コンテンツの配信を受ける場合の課金に関する情報である課金情報を含む音楽コンテンツ等のコンテンツ情報を近距離無線ネットワークを介して配信するためローカルサーバ２００」が記載されているといえる。
（２）　上記１（７）段落００７１〜００８１に記載された実施の形態において、段落００７２によると、ローカルサーバ２００は、「当該ローカルサーバ２００に対するユーザ端末３００からのアクセス履歴を記憶するアクセス履歴記憶部２１０」を具備するといえる。
（３）　上記実施の形態において、上記１（７）段落００７３によると、ローカルサーバ２００は、「アクセス履歴記憶部２１０に記憶されたアクセス履歴を参照し、コンテンツのダウンロード要求をメインサーバ１００に発する最新コンテンツ要求制御部２０９」を具備するといえる。
（４）　上記実施の形態において、上記１（７）段落００７６によると、ローカルサーバ２００は、「メインサーバ１００からの転送を受けて、かかる追加コンテンツを記憶するコンテンツ情報記憶部２０６」及び「そのコンテンツリストを記憶するローカルコンテンツリスト記憶部２０７」を具備するといえる。
（５）　上記実施の形態に係る上記１（７）段落００７１〜００８１には、上記１（２）段落００２４に記載された「ユーザ端末３００からの配信要求に応じてコンテンツ情報をユーザ端末３００に転送する」とのローカルサーバの機能について記載されていないが、上記１（４）段落００３２、及び上記１（７）段落００７１の記載から、上記実施の形態においても、上記１（５）図７、及び上記１（４）段落００４０〜００４６に記載された、ローカルサーバが、ユーザ端末から受信した選択情報に基づいてコンテンツ情報記憶部からコンテンツ情報を読み出し、ユーザ端末に転送する処理を行うことは明らかである。
　そして、上記１（４）段落００４２の「ユーザが所定のコンテンツを選択すると、かかる選択情報がユーザ端末３００からローカルサーバ２００に送信される。」との記載から、ローカルサーバ２００は、「ユーザが所定のコンテンツを選択した選択情報をユーザ端末３００から受信する手段」を具備しているといえる。
　また、ローカルサーバ２００は、上記１（４）段落００４２に記載された「選択されたコンテンツがローカルコンテンツリスト記憶部２０７中に存在するかを判別し（Ｓ１０４）、存在する場合には、コンテンツ情報記憶部２０６から当該コンテンツ情報を読み出して、これをユーザ端末３００に転送する（Ｓ１０７）」処理を行う手段を具備するといえる。
　以上を踏まえると、引用例１には、以下の発明（以下、「引用発明」という。）が記載されていると認める。
「近距離無線ネットワーク（配信可能エリア）における複数の携帯電話、ＰＤＡ等のユーザ端末に、当該音楽コンテンツの配信を受ける場合の課金に関する情報である課金情報を含む音楽コンテンツ等のコンテンツ情報を近距離無線ネットワークを介して配信するためのローカルサーバであって、
　当該ローカルサーバに対するユーザ端末からのアクセス履歴を記憶するアクセス履歴記憶部と、
　アクセス履歴記憶部に記憶されたアクセス履歴を参照し、コンテンツのダウンロード要求をメインサーバに発する最新コンテンツ要求制御部と、
　メインサーバからの転送を受けて、かかる追加コンテンツを記憶するコンテンツ情報記憶部、及び、そのコンテンツリストを記憶するローカルコンテンツリスト記憶部と、
　ユーザが所定のコンテンツを選択した選択情報をユーザ端末から受信する手段と
　選択されたコンテンツがローカルコンテンツリスト記憶部中に存在するかを判別し、存在する場合には、コンテンツ情報記憶部から当該コンテンツ情報を読み出して、これをユーザ端末に転送する手段と
　を具備するローカルサーバ。」
第５　対比
　本願発明と引用発明を対比すると、以下のとおりとなる。
　１　引用発明の「携帯電話、ＰＤＡ等のユーザ端末」、及び「音楽コンテンツ等のコンテンツ情報」は、それぞれ本願発明の「ポータブルデバイス」、及び「メディアコンテンツ」にそれぞれ相当する。
　また、課金情報を含む音楽コンテンツ等のコンテンツ情報をユーザ端末に配信する引用発明の「近距離無線ネットワーク（配信可能エリア）」は、メディアコンテンツの配信を受けられる本願発明の「キオスクのカバレッジエリア」に相当する。
　そして、引用発明の複数のユーザ端末は、コンテンツ情報の配信元であるローカルサーバからみれば複数のユーザ端末の集合といえ、引用発明のローカルサーバは、複数のポータブルデバイスのポピュレーションといえる複数のユーザ端末の集合に、音楽コンテンツ等のコンテンツ情報を配信するものであるから、「近距離無線ネットワーク（配信可能エリア）における複数の携帯電話、ＰＤＡ等のユーザ端末に、当該音楽コンテンツの配信を受ける場合の課金に関する情報である課金情報を含む音楽コンテンツ等のコンテンツ情報を近距離無線ネットワークを介して配信するためのローカルサーバ」である引用発明は、「(b1)キオスクのカバレッジエリアにおける複数のポータブルデバイスのポピュレーションにメディアコンテンツをワイヤレスに配信するための装置」である点で本願発明と一致する。
　２　キオスクのカバレッジエリアに相当する近距離無線ネットワーク（配信可能エリア）における、複数のポータブルデバイスのポピュレーションといえる複数のユーザ端末の集合に対して、音楽コンテンツ等のコンテンツ情報を配信する引用発明の「選択されたコンテンツがローカルコンテンツリスト記憶部中に存在するかを判別し、存在する場合には、コンテンツ情報記憶部から当該コンテンツ情報を読み出して、これをユーザ端末に転送する手段」は、本願発明の「前記複数のポータブルデバイスのポピュレーションに、前記キオスクによって、メディアコンテンツをワイヤレスに配信するための手段」と対応する。
　また、引用発明の前記転送する手段は、「ユーザが所定のコンテンツを選択した選択情報をユーザ端末から受信する手段」により、複数のユーザ端末のうちの１つからの特定のコンテンツについての選択情報を受信する前の、「アクセス履歴記憶部」において当該ローカルサーバに対するユーザ端末からのアクセス履歴を記憶する時点でも、履歴として記憶されるアクセスにおけるコンテンツ情報の転送を行うことは明らかであるから、引用発明は「(b2)前記複数のポータブルデバイスのうちの１つからの特定のメディアコンテンツについての要求の受信前に、前記複数のポータブルデバイスのポピュレーションに、前記キオスクによって、メディアコンテンツをワイヤレスに配信するための手段」を具備しているといえる点で本願発明と一致する。
　３　それぞれのユーザ端末はユーザにより操作されるものであり、当該ユーザはコンテンツ配信を依頼するクライアントといえるから、引用発明のアクセス履歴は、当該ローカルサーバからコンテンツをダウンロードした複数のユーザ端末の集合と関連するクライアントを特徴付けているといえ、「当該ローカルサーバに対するユーザ端末からのアクセス履歴を記憶するアクセス履歴記憶部」を具備する引用発明は、「(b3)複数のポータブルデバイスの前記ポピュレーションと関連するクライアントを特徴づけるための手段」を具備する点で本願発明と一致する。
　また、引用発明のコンテンツ情報の配信は、課金を伴う処理であるから取引、すなわちトランザクションといえ、引用発明のアクセス履歴は、複数のユーザ端末の集合にコンテンツを配信することに関連するトランザクションを記録したものといえるから、引用発明のアクセス履歴記憶部の動作は、「前記特徴づけることは、複数のポータブルデバイスの前記ポピュレーションに前記メディアコンテンツを前記配信することと関連するトランザクションに少なくとも部分的に基づく」といえる点で本願発明と一致する。
　４　上記３のとおり、引用発明のアクセス履歴は「複数のポータブルデバイスのポピュレーションと関連するクライアントを特徴づける」情報といえる。
　また、最新コンテンツ要求制御部が発したダウンロード要求により、メインサーバから転送される引用発明の「追加コンテンツ」は、予期される将来のクライアントのためのメディアコンテンツといえるから、引用発明の「メインサーバ」は、「予期される将来のクライアントのためのメディアコンテンツ」を送信する点で本願発明の「ネットワークコントローラ」と対応する。
　そして、「メインサーバからの転送を受けて、かかる追加コンテンツを記憶するコンテンツ情報記憶部」を具備する引用発明が、メインサーバから送信される追加コンテンツを、受信された追加コンテンツとして、受信するための手段を有していることは明らかであるから、引用発明は「(b4)複数のポータブルデバイスの前記ポピュレーションと関連する前記クライアントの前記特徴づけに少なくとも部分的に基づいて、ネットワークコントローラから送信される予期される将来のクライアントのためのメディアコンテンツを、受信されたメディアコンテンツとして、受信するための手段」を具備する点で本願発明と一致する。
　５　引用発明の「メインサーバからの転送を受けて、かかる追加コンテンツを記憶するコンテンツ情報記憶部」は、本願発明のローカル記録装置に相当し、前記コンテンツ情報記憶部を具備する引用発明は「(b5)ローカル記録装置に前記受信されたメディアコンテンツを記憶するための手段」を具備するといえる点で本願発明と一致する。
　６　「ユーザが所定のコンテンツを選択した選択情報をユーザ端末から受信する手段」を具備する引用発明は、「(b6)前記ポータブルデバイスからの特定のメディアコンテンツについての要求を受信するための手段」を具備している点で本願発明と一致する。
　７　「選択されたコンテンツがローカルコンテンツリスト記憶部中に存在するかを判別し、存在する場合には、コンテンツ情報記憶部から当該コンテンツ情報を読み出して、これをユーザ端末に転送する手段」を具備する引用発明は、受信する選択情報が「加入者」ユーザ端末からであると認証されていないものの、「(b8)前記要求するポータブルデバイスに前記要求されたメディアコンテンツをワイヤレスに送信するための手段」を具備する点で本願発明と対応する。
　以上を踏まえると、本願発明と引用発明とは以下の点で一致し、相違する。
「　(b1)キオスクのカバレッジエリアにおける複数のポータブルデバイスのポピュレーションにメディアコンテンツをワイヤレスに配信するための装置であって、
　(b2)前記複数のポータブルデバイスのうちの１つからの特定のメディアコンテンツについての要求の受信前に、前記複数のポータブルデバイスのポピュレーションに、前記キオスクによって、メディアコンテンツをワイヤレスに配信するための手段と、
　(b3)複数のポータブルデバイスの前記ポピュレーションと関連するクライアントを特徴づけるための手段と、前記特徴づけることは、複数のポータブルデバイスの前記ポピュレーションに前記メディアコンテンツを前記配信することと関連するトランザクションに少なくとも部分的に基づく、
　(b4)複数のポータブルデバイスの前記ポピュレーションと関連する前記クライアントの前記特徴づけに少なくとも部分的に基づいて、ネットワークコントローラから送信される予期される将来のクライアントのためのメディアコンテンツを、受信されたメディアコンテンツとして、受信するための手段と、
　(b5)ローカル記録装置に前記受信されたメディアコンテンツを記憶するための手段と、
　(b6)前記ポータブルデバイスからの特定のメディアコンテンツについての要求を受信するための手段と、
　(b8)前記要求するポータブルデバイスに前記要求されたメディアコンテンツをワイヤレスに送信するための手段と、
　を具備する装置。」
相違点１
　本願発明が、「(b7)ワイヤレスデータプロトコル・カバレッジエリア内の要求する加入者ポータブルデバイスからの要求であるとしてポータブルデバイスからの特定のメディアコンテンツについての前記要求を認証するための手段」を具備し、(b8)において、前記要求する「加入者」ポータブルデバイスに対して、前記要求されたメディアコンテンツをワイヤレスに送信するのに対し、引用発明が要求を認証するための手段について明示しておらず、それに伴い、特定のメディアコンテンツの送信対象が、要求する「加入者」ポータブルデバイスと特定されていない点。
相違点２
　本願発明が、「(b9)追跡および請求の目的のために前記ネットワークコントローラへ前記ワイヤレス送信を報告するための手段」を具備するのに対し、引用発明は、コンテンツ情報に、当該音楽コンテンツの配信を受ける場合の課金に関する情報である課金情報を含むものの、「(b9)追跡および請求の目的のために前記ネットワークコントローラへ前記ワイヤレス送信を報告するための手段」を具備しない点。
第６　判断
　１　相違点１
　近距離無線ネットワーク（配信可能エリア）は、特定の近距離無線ネットワークプロトコルに基づくカバレッジエリアといえるから、近距離無線ネットワーク（配信可能エリア）におけるユーザ端末にコンテンツ情報を近距離無線ネットワークを介して配信するためのローカルサーバの発明である引用発明において、ローカルサーバが受信する「ユーザが所定のコンテンツを選択した選択情報」は、「ワイヤレスデータプロトコル・カバレッジエリア内の要求するポータブルデバイスからの特定のメディアコンテンツについての要求」といえる。
　また、コンテンツ配信サービスを行う際に、特定のコンテンツの要求をサービスの加入者のユーザ端末からの要求であるとして認証を行い、認証を受けた当該ユーザ端末のみに対してサービスを行うことは一般的なコンテンツ配信技術であり、当業者が適宜行い得る事項といえるから、コンテンツ配信を行うローカルサーバの発明である引用発明において、
　ローカルサーバがユーザ端末から受信する、ユーザが所定のコンテンツを選択した選択情報を、近距離ネットワーク（配信可能エリア）における要求するサービスの加入者のユーザ端末からの要求であるとして認証する手段を備え、認証を受けた前記ユーザ端末に対して、要求された前記所定のコンテンツを送信することは、当業者が容易に想到し得る事項といえる。
　２　相違点２
　相違点２に係る、報告するための手段における目的についての「追跡および請求」との事項は、本願発明に係る装置とは異なるネットワークコントローラのみの機能を特定する事項であって、本願発明に係る装置の構造、機能等を何ら特定しているとはいえない。
　そして、ネットワークを介して取引、課金を行う際に、どのネットワーク要素で課金を行うかは当業者が適宜決定し得る事項といえ、また、同一のサービス内の複数の取引についての課金をまとめて行うことが常套であることを踏まえると、上記第４　１（３）図１、及び上記第４　１（６）段落００５４に記載されているように、ユーザ端末が複数のローカルサーバにアクセス可能である引用発明には、それぞれのローカルサーバにアクセスして行った複数の配信に対する課金をまとめて行う動機があるといえるから、課金情報を含むコンテンツ情報を配信するためのローカルサーバの発明である引用発明において、課金をネットワークコントローラに対応するメインサーバで行うために、ユーザ端末への特定のコンテンツの配信について、メインサーバに報告するための手段、すなわち「前記ネットワークコントローラへ前記ワイヤレス送信を報告するための手段」を具備することは当業者が容易に想到し得る事項といえる。
　したがって、本願発明は、引用例１に記載された発明に基づいて当業者が容易に発明をすることができたものといえる。
第７　むすび
　以上のとおり、本願発明は、引用例１に記載された発明に基いて、その出願前にその発明の属する技術の分野における通常の知識を有する者が容易に発明をすることができたものであるから、特許法第２９条第２項の規定により特許を受けることができない。
　したがって、本願は、他の請求項について検討するまでもなく拒絶すべきものである。